(57)【要約】  ドアホンからの呼出に対してネットワークに接続された複数の端末に対して呼出を行い、いずれの端末からでも応答できるようにする。  テレビ電話インターホン２００には、ドアホン１００，１１０、監視カメラ１２５が接続され、家庭内ＬＡＮ３００を介してテレビ電話端末４１０・４２０・４３０と接続され、更にインターネット接続装置６００を介して携帯電話８１０と接続される。テレビ電話インターホンは、ドアホン切換部２１０、多重・分離部２２０、テレビ電話コーデック２３０、通信インターフェース２４０、呼出検出部２５０、通信制御部２６０を備え、ドアホンからの呼出を検出したら呼出先データ２６２に登録された呼出先を一斉呼出し、呼出時の映像をキャプチャした静止画像を送信し、最先に応答することを通知した端末と接続する。また、ＭＣＵを備え、ドアホン会議を設定するようにしてもよい。【特許請求の範囲】
【請求項１】
テレビカメラ付きのドアホンからの映像信号および音声信号をテレビ電話コード化して端末に送信するとともに、端末から受信されたテレビ電話コードをデコードして少なくとも音声信号を抽出してドアホンに送出するテレビ電話コーデック手段を備え、ドアホンからの呼出に対してテレビ電話端末から応答できるようにしたテレビ電話インターホンであって、
複数の呼出先の端末アドレスを登録することができる呼出先登録手段を備え、
ドアホンからの呼出を受付けるドアホン呼出受付手段と、前記ドアホン呼出受付手段によりドアホンからの呼出を受付けた際の前記ドアホンからの映像信号を静止画像として取得する静止画像取得手段と、前記呼出先登録手段に登録された呼出先の端末を一斉に呼出す一斉呼出手段と、前記一斉呼出手段による呼出に応じて接続された端末に前記静止画像取得手段により取得された静止画像を送信する静止画像送信手段と、前記一斉呼出手段による呼出に応じて接続された端末のうちドアホンからの呼出に対して最先に応答することを通知した端末を前記テレビ電話コーデック手段と接続するテレビ電話コーデック接続手段とを備えたことを特徴とする、テレビ電話インターホン。
【請求項２】
接続中の端末からの転送要求を受け、前記テレビ電話コーデック手段との接続を保留するテレビ電話コーデック接続保留手段と、前記呼出先登録手段に登録された端末から選択された転送先の端末を呼出す転送先呼出手段と、前記転送先呼出手段により呼出された端末から受入通知を受けたときに前記要求元の端末を前記転送先の端末と接続する転送先接続手段と、前記転送を要求した端末が接続を終了したときに前記保留されたテレビ電話コーデック手段との接続を前記受入通知を発信した端末に付替えるテレビ電話コーデック接続付替手段とを備えたことを特徴とする、請求項１に記載のテレビ電話インターホン。
【請求項３】
端末からの呼出を受付ける端末呼出受付手段と、前記端末呼出受付手段により呼出を受付けた端末を前記テレビ電話コーデック手段と接続する呼出受付端末接続手段と、前記呼出受付端末接続手段により接続された端末からの要求により、あらかじめ登録されたメッセージから選択されたメッセージをドアホンに出力するメッセージ出力手段を備えたことを特徴とする、請求項１または請求項２に記載のテレビ電話インターホン。
【請求項４】
テレビカメラ付きのドアホンからの映像信号および音声信号をテレビ電話コード化して端末に送信するとともに、端末から受信されたテレビ電話コードをデコードして少なくとも音声信号を抽出してドアホンに送出するテレビ電話コーデック手段を備え、ドアホンからの呼出に対してテレビ電話端末から応答できるようにしたテレビ電話インターホンであって、
接続された複数の端末間でテレビ会議を行う機能を有する多地点接続手段と、複数の呼出先の端末アドレスを登録することができる呼出先登録手段とを備え、
前記多地点接続手段に前記テレビ電話コーデック手段を常時接続し、接続された端末とドアホンとの間でテレビ会議を行うドアホン会議を設定する手段と、ドアホンからの呼出を受付けるドアホン呼出受付手段と、前記呼出先登録手段に登録された端末を一斉に呼出す一斉呼出手段と、前記一斉呼出手段による呼出に応じて接続された端末を前記ドアホン会議に接続するドアホン会議接続手段とを備えたことを特徴とする、テレビ電話インターホン。
【請求項５】
前記多地点接続手段は、ドアホンからの映像および音声と接続中の端末から受信された映像および音声を合成して接続中の端末に送信する機能と、応答することを通知した端末から受信された少なくとも音声を合成してドアホンに送信する機能とを有し、前記接続中の端末に送信する合成映像において、ドアホンからの呼出に応答することを通知した端末の映像にマークを付す機能を有することを特徴とする、請求項４に記載のテレビ電話インターホン。
【請求項６】
前記ドアホン呼出受付手段により呼出を受付けた際の前記ドアホンからの映像信号を静止画像として取得する静止画像取得手段と、前記一斉呼出手段による呼出に応じて接続された端末に前記静止画像取得手段により取得された静止画像を送信する静止画像送信手段とを備え、
前記ドアホン会議接続手段は、前記一斉呼出手段による呼出に応じて接続された端末のうちドアホン会議に接続することを通知した端末を前記ドアホン会議に接続することを特徴とする、請求項４または請求項５に記載のテレビ電話インターホン。
【請求項７】
前記多地点接続手段にいつでもエントリー可能であって接続された端末間で個別にテレビ会議を行う個別会議を設定する手段と、前記ドアホン会議に接続中の端末からの呼出を受付ける端末呼出受付手段と、前記端末呼出受付手段により受付けられた呼出元の端末から選択された端末を呼出す端末呼出手段と、前記端末呼出手段により呼出された端末が受入を通知したときに前記呼出元の端末と前記受入を通知した端末を前記設定された個別会議に付替える個別会議付替手段と、前記個別会議に接続された端末から復帰要求を受けた端末を前記ドアホン会議に復帰させる復帰手段とを備えたことを特徴とする、請求項４ないし請求項６のいずれかに記載のテレビ電話インターホン。
【請求項８】
端末からの呼出を受付ける端末呼出受付手段と、前記端末呼出受付手段により呼出を受付けられた端末を前記ドアホン会議に接続する呼出受付端末接続手段と、前記呼出受付端末接続手段により接続された端末からの要求により、あらかじめ登録されたメッセージから選択されたメッセージをドアホンに出力するメッセージ出力手段を備えたことを特徴とする、請求項４ないし請求項７に記載のテレビ電話インターホン。
【請求項９】
前記ドアホン呼出受付手段により呼出を受付けた際に前記ドアホンからの映像信号および音声信号を所定時間記録する映像音声記録手段と、接続中の端末からの要求により前記映像音声記録手段により記録された映像および音声を再生して前記テレビ電話コーデック手段に送出する映像音声再生手段とを備えたことを特徴とする、請求項１ないし請求項８のいずれかに記載のテレビ電話インターホン。
【請求項１０】
前記ドアホン呼出受付手段により呼出を受付けた際にあらかじめ登録された応答メッセージを前記ドアホンに送信する応答メッセージ出力手段と、前記ドアホンからの映像信号および音声信号を所定時間記録する映像音声記録手段と、接続中の端末からの要求により前記映像音声記録手段により記録された映像および音声を再生して前記テレビ電話コーデック手段に送出する映像音声再生手段とを備えたことを特徴とする、請求項１ないし請求項８のいずれかに記載のテレビ電話インターホン。
【請求項１１】
周辺の映像を取得するテレビカメラと周辺の音を取得する集音手段と不審者に警告を発する警告手段と不審者を検出するセンサとを有する監視カメラと、
単数または複数の前記ドアホンと前記監視カメラを切換えて前記テレビ電話コーデック手段に接続するドアホン切換手段とを備え、
前記ドアホン呼出受付手段は、前記ドアホンからの呼出を受付ける機能と、前記監視カメラのセンサが検出したことによる呼出を受付ける機能とを有し、
前記ドアホン切換手段は、前記ドアホンからの呼出を受付けたときに前記テレビ電話コーデック手段を前記ドアホンに接続する機能と、前記監視カメラのセンサが検出したことによる呼出を受付けたときに前記テレビ電話コーデック手段を前記監視カメラに接続する機能とを有することを特徴とする、請求項１ないし請求項１０のいずれかに記載のテレビ電話インターホン。
【請求項１２】
電話回線またはインターネット回線を介して外部の端末と通信するための通信手段を備えたことを特徴とする、請求項１ないし請求項１１のいずれかに記載のテレビ電話インターホン。
【請求項１３】
請求項１ないし請求項３のいずれかに記載のテレビ電話インターホンに接続されるテレビ電話端末または携帯電話端末であって、
前記一斉呼出手段による呼出に応じて接続する機能と、前記静止画像送信手段により送信された静止画像を受信して表示する機能と、ドアホンからの呼出に応答することが選択されたときに応答通知を行う機能と、前記応答通知に対して受入通知を受信したときに前記テレビ電話コーデック手段からの少なくとも音声の受信を開始する機能と、前記ドアホンと通話することが選択されたときに前記テレビ電話コーデック手段に対して少なくとも音声の送信を開始する機能とを有することを特徴とする、テレビ電話端末または携帯電話端末。
【請求項１４】
請求項６に記載のテレビ電話インターホンに接続されるテレビ電話端末または携帯電話端末であって、
前記一斉呼出手段による呼出に応じて接続する機能と、前記静止画像送信手段により送信された静止画像を受信して表示する機能と、ドアホンからの呼出に応答することが選択されたときに応答通知を行う機能と、前記応答通知に対して受入通知を受信したときに前記ドアホン会議からの少なくとも音声の受信を開始する機能と、前記ドアホンと通話することが選択されたときに前記ドアホン会議に対して少なくとも音声の送信を開始する機能とを有することを特徴とする、テレビ電話端末または携帯電話端末。
【発明の詳細な説明】
【技術分野】
【０００１】
この発明は、テレビ電話を用いたインターホンに関し、特に例えばテレビカメラ付きドアホンからの呼出をテレビ電話端末や携帯電話端末から応答できるようにしたテレビ電話インターホンに関する。
【背景技術】
【０００２】
近年、テレビカメラ付きのドアホンが普及し、玄関等に備えられたドアホン子機のテレビカメラで捉えられた来訪者の映像を、在宅者が宅内に備えられたモニタ画面付きのドアホン親機で確認しながら通話することが可能となっている。
また、テレビカメラ付きのドアホン子機をテレビ電話機と接続可能とし、宅内のテレビ電話や外出先のテレビ電話から映像確認したり、通話できるようにするドアホン子機アダプタが提案されている（例えば、特許文献１）。
また、ドアホン子機とドアホン親機との間に接続され、留守設定時にドアホン子機からの呼出を検出して、あらかじめ設定した番号を呼出す機能を有する電話装置が提案されている（例えば、特許文献２、特許文献３）【０００３】
【特許文献１】特開２００１−１５６８５２号公報
【特許文献２】特開平７−３２７０７２号公報
【特許文献３】特開平１１−３１３１６６号公報
【発明の開示】
【発明が解決しようとする課題】
【０００４】
しかしながら、特許文献１に記載のドアホン子機アダプタでは、宅内のテレビ電話機や外出先のテレビ電話機から当該ドアホン子機アダプタの専用番号をダイアルすることで子機インターフェイスと接続され、呼出したテレビ電話端末からドアホン子機の映像を確認したり音声通話を行うことができるものの、ドアホン子機からの呼出に対して宅内のテレビ電話端末や外出先のテレビ電話端末をダイアルする機能がなく、ドアホン子機アダプタのチャイムが鳴るだけである。
従って、宅内に複数のテレビ電話端末が接続されている場合に、ドアホン子機からの呼出時にタイミングよく応答したり、それを他のテレビ電話端末に転送したりすることができなかった。【０００５】
また、特許文献２または特許文献３に記載の装置では、外出先のテレビ電話端末をダイアルする機能を有し、ドアホン子機からの呼出に対してテレビ電話端末を呼出すことができるものの、呼出すことができるのは特定の端末であり、例えば宅内に複数のテレビ電話によるインターホンシステムを備えている場合であっても、ドアホン子機からの呼出に対して特定の端末を呼出すことしかできず、ネットワークに接続された複数の端末に対して呼出を行っていずれの端末からでも応答できるようにしたり、外出先のテレビ電話端末を同時に呼出して応答できるようにすることは困難であった。【０００６】
それゆえに、本願発明の目的は、ドアホンからの呼出に対してネットワークに接続された複数の端末に対して呼出を行い、いずれの端末からでも応答できるテレビ電話インターホンを提供することである。
【課題を解決するための手段】
【０００７】
請求項１に記載の発明は、テレビカメラ付きのドアホンからの映像信号および音声信号をテレビ電話コード化して端末に送信するとともに、端末から受信されたテレビ電話コードをデコードして少なくとも音声信号を抽出してドアホンに送出するテレビ電話コーデック手段を備え、ドアホンからの呼出に対してテレビ電話端末から応答できるようにしたテレビ電話インターホンシステムであって、複数の呼出先の端末アドレスを登録することができる呼出先登録手段を備え、ドアホンからの呼出を受付けるドアホン呼出受付手段と、ドアホン呼出受付手段によりドアホンからの呼出を受付けた際のドアホンからの映像信号を静止画像として取得する静止画像取得手段と、呼出先登録手段に登録された呼出先の端末を一斉に呼出す一斉呼出手段と、一斉呼出手段による呼出に応じて接続された端末に静止画像取得手段により取得された静止画像を送信する静止画像送信手段と、一斉呼出手段による呼出に応じて接続された端末のうちドアホンからの呼出に対して最先に応答することを通知した端末をテレビ電話コーデック手段と接続するテレビ電話コーデック接続手段とを備えた、テレビ電話インターホンである。
この発明によれば、テレビ電話コーデック手段により、テレビカメラ付きのドアホンからの映像信号および音声信号をテレビ電話コード化して端末に送信するとともに、端末から受信されたテレビ電話コードをデコードして少なくとも音声信号を抽出してドアホンに送出するので、ドアホンからの呼出に対してテレビ電話端末や電話端末から応答できる。
また、この発明によれば、複数の呼出先の端末アドレスを登録することができる呼出先登録手段を備え、ドアホン呼出受付手段によりドアホンからの呼出を受付け、一斉呼出手段により呼出先登録手段に登録された呼出先のテレビ電話端末を一斉に呼出し、テレビ電話コーデック接続手段により一斉呼出手段による呼出に応じて接続されたテレビ電話端末のうちドアホンからの呼出に対して最先に応答することを通知した端末をテレビ電話コーデック手段と接続することができるので、ドアホンからの呼出に対してあらかじめ登録された複数の端末を一斉に呼出し、接続された端末のうち最先に応答することを通知した端末によってドアホンからの呼出に応答させることができる。
さらに、この発明によれば、静止画像取得手段により呼出を受付けた際のドアホンからの映像信号を静止画像として取得し、取得された静止画像を静止画像送信手段により一斉呼出手段による呼出に応じて接続された端末に送信することができるので、呼出先の端末は応答するに先だってドアホンから呼出した相手の画像を確認して応答するかどうかを判断できる。また、ドアホンの映像確認のために静止画像を用いているので、画像表示機能を有する携帯電話等によってもドアホンから呼出した相手の画像を確認して応答することができる。
尚、ドアホン側にモニタ画面を備える場合には、テレビ電話コーデック手段において、端末から受信されたテレビ電話コードをデコードして映像信号および音声信号を抽出してドアホンに送出するようにしてもよい。【０００８】
請求項２に記載の発明は、請求項１に記載のテレビ電話インターホンであって、接続中の端末からの転送要求を受け、テレビ電話コーデック手段との接続を保留するテレビ電話コーデック接続保留手段と、呼出先登録手段に登録された端末から選択された転送先の端末を呼出す転送先呼出手段と、転送先呼出手段により呼出された端末から受入通知を受けたときに要求元の端末を転送先の端末と接続する転送先接続手段と、転送を要求した端末が接続を終了したときに保留されたテレビ電話コーデック手段との接続を受入通知を発信した端末に付替えるテレビ電話コーデック接続付替手段とを備えたものである。
この発明によれば、テレビ電話コーデック接続保留手段により接続中の端末から転送要求を受けたときにテレビ電話コーデック手段との接続を保留し、転送先呼出手段により呼出先登録手段に登録されている端末から選択された転送先の端末を呼出し、転送先接続手段により呼出した端末から受入通知を受けたときに要求元の端末を転送先の端末と接続し、テレビ電話コーデック接続付替手段により転送を要求した端末が接続を終了したときに保留されたテレビ電話コーデック手段との接続を受入通知を発信した端末に付替えることができるので、ドアホンに応答中の端末は呼出先登録手段に登録された他の端末にドアホンの応答を転送することができる。【０００９】
請求項３に記載の発明は、請求項１または請求項２に記載のテレビ電話インターホンであって、端末からの呼出を受付ける端末呼出受付手段と、端末呼出受付手段により呼出を受付けた端末をテレビ電話コーデック手段と接続する呼出受付端末接続手段と、呼出受付端末接続手段により接続された端末からの要求により、あらかじめ登録されたメッセージから選択されたメッセージをドアホンに出力するメッセージ出力手段を備えたものである。
この発明によれば、端末呼出受付手段により端末からの呼出を受付け、呼出受付端末接続手段により呼出を受付けた端末をテレビ電話コーデック手段と接続することができるので、端末側から呼出すことによってドアホンの映像や音声を監視することができる。
また、この発明によれば、メッセージ出力手段により端末からの要求に従ってあらかじめ登録されたメッセージから選択されたメッセージをドアホンに出力することができるので、例えばドアホンの映像や音声を監視中に確認された相手に対してメッセージを伝えたり、不審者が発見された場合に警告するなどの措置をとることができる。【００１０】
請求項４に記載の発明は、テレビカメラ付きのドアホンからの映像信号および音声信号をテレビ電話コード化して端末に送信するとともに、端末から受信されたテレビ電話コードをデコードして少なくとも音声信号を抽出してドアホンに送出するテレビ電話コーデック手段を備え、ドアホンからの呼出に対してテレビ電話端末から応答できるようにしたテレビ電話インターホンであって、接続された複数の端末間でテレビ会議を行う機能を有する多地点接続手段と、複数の呼出先の端末アドレスを登録することができる呼出先登録手段とを備え、多地点接続手段にテレビ電話コーデック手段を常時接続し、接続された端末とドアホンとの間でテレビ会議を行うドアホン会議を設定する手段と、ドアホンからの呼出を受付けるドアホン呼出受付手段と、呼出先登録手段に登録された端末を一斉に呼出す一斉呼出手段と、一斉呼出手段による呼出に応じて接続された端末をドアホン会議に接続するドアホン会議接続手段とを備えた、テレビ電話インターホンである。
この発明によれば、テレビ電話コーデック手段により、テレビカメラ付きのドアホンからの映像信号および音声信号をテレビ電話コード化して端末に送信するとともに、端末から受信されたテレビ電話コードをデコードして少なくとも音声信号を抽出してドアホンに送出するので、ドアホンからの呼出に対してテレビ電話端末や電話端末から応答できる。
また、この発明によれば、複数の端末間でテレビ会議を行う機能を有する多地点接続手段と、複数の呼出先の端末アドレスを登録することができる呼出先登録手段とを備え、多地点接続手段にテレビ電話コーデック手段を常時接続し、接続された端末とドアホンとの間でテレビ会議を行うドアホン会議を設定し、ドアホン呼出受付手段によりドアホンからの呼出を受付け、一斉呼出手段により呼出先登録手段に登録された端末を一斉に呼出し、ドアホン会議接続手段により呼出に応じて接続された端末をドアホン会議に接続することができるので、ドアホンからの呼出に対してあらかじめ登録された複数の端末を一斉に呼出し、ドアホンと呼出に応じて接続された端末とでドアホン会議を構成し、複数の端末が会議形式でドアホンからの呼出に同時に応答することができる。
尚、ドアホン側にモニタ画面を備える場合には、テレビ電話コーデック手段において、端末から受信されたテレビ電話コードをデコードして映像信号および音声信号を抽出してドアホンに送出するようにしてもよい。【００１１】
請求項５に記載の発明は、請求項４に記載のテレビ電話インターホンであって、多地点接続手段は、ドアホンからの映像および音声と接続中の端末から受信された映像および音声を合成して接続中の端末に送信する機能と、ドアホンからの呼出に応答することを通知した端末から受信された少なくとも音声を合成してドアホンに送信する機能とを有し、接続中の端末に送信する合成映像において、ドアホンからの呼出に応答することを通知した端末の映像にマークを付す機能を有するものである。
この発明によれば、多地点接続装置によりドアホンからの映像および音声と接続中の端末から受信された映像および音声を合成して接続中の端末に送信し、ドアホンからの呼出に応答することを通知した端末から受信された音声を合成してドアホンに送信するので、各端末ではドアホン会議に接続されている各端末とドアホンの映像と音声を視聴でき、ドアホンにはドアホンからの呼出に応答することを通知した端末の音声を聴取できる。
また、この発明によれば、ドアホンからの呼出に応答することを通知した端末の映像にマークを付されるので、ドアホン会議の接続者はドアホンからの呼出にどの端末が応答しているかが一目でわかり、混乱を防止できる。【００１２】
請求項６に記載の発明は、請求項４または請求項５に記載のテレビ電話インターホンであって、ドアホン呼出受付手段により呼出を受付けた際のドアホンからの映像信号を静止画像として取得する静止画像取得手段と、取得された静止画像を一斉呼出手段による呼出に応じて接続された端末に送信する静止画像送信手段とを備え、ドアホン会議接続手段は、一斉呼出手段による呼出に応じて接続された端末のうちドアホン会議に接続することを通知した端末をドアホン会議に接続するものである。
この発明によれば、静止画像取得手段により呼出を受付けた際のドアホンからの映像信号を静止画像として取得し、取得された静止画像を静止画像送信手段により一斉呼出手段による呼出に応じて接続された端末に送信することができるので、呼出先の端末は応答するに先だってドアホンから呼出した相手の画像を確認して応答するかどうかを判断できる。また、ドアホンの映像確認のために静止画像を用いているので、画像表示機能を有する携帯電話等によってもドアホンから呼出した相手の画像を確認して応答することができる。【００１３】
請求項７に記載の発明は、請求項４ないし請求項６に記載のテレビ電話インターホンであって、多地点接続手段にいつでもエントリー可能であって接続された端末間で個別にテレビ会議を行う個別会議を設定する手段と、ドアホン会議に接続中の端末からの呼出を受付ける端末呼出受付手段と、端末呼出受付手段により受付けられた呼出元の端末から選択された端末を呼出す端末呼出手段と、端末呼出手段により呼出された端末が受入を通知したときに呼出元の端末と受入を通知した端末を設定された個別会議に付替える個別会議付替手段と、個別会議に接続された端末から復帰要求を受けた端末をドアホン会議に復帰させる復帰手段とを備えたものである。
この発明によれば、多地点接続手段にいつでもエントリー可能であって接続された端末間で個別にテレビ会議を行う個別会議が設定され、端末呼出受付手段によりドアホン会議に接続中の端末から呼出を受付け、個別会議付替手段により呼出された端末が受入を通知したときに呼出元の端末と受入を通知した端末を設定された個別会議に付替え、復帰手段により個別会議に接続された端末から復帰要求を受けた端末をドアホン会議に復帰させることができるので、ドアホン会議中に特定の端末間でドアホンや他の端末とは独立に打合せをすることができる。これにより、例えば来訪者への対応について内輪で相談すること等が可能となる。【００１４】
請求項８に記載の発明は、請求項４ないし請求項７に記載のテレビ電話インターホンであって、端末からの呼出を受付ける端末呼出受付手段と、端末呼出受付手段により呼出を受付けた端末をドアホン会議に接続する呼出受付端末接続手段と、呼出受付端末接続手段により接続された端末からの要求により、あらかじめ登録されたメッセージから選択されたメッセージをドアホンに出力するメッセージ出力手段を備えたものである。
この発明によれば、端末呼出受付手段により端末からの呼出を受付け、呼出受付端末接続手段により端末呼出受付手段により呼出を受付けた端末をドアホン会議に接続することができるので、端末側から呼出すことによってドアホンの映像や音声を監視することができる。
また、この発明によれば、メッセージ出力手段により端末からの要求に従ってあらかじめ登録されたメッセージから選択されたメッセージをドアホンに出力することができるので、例えばドアホンの映像や音声を監視中に確認された相手に対してメッセージを伝えたり、不審者が発見された場合に警告するなどの措置をとることができる。【００１５】
請求項９に記載の発明は、請求項１ないし請求項８に記載のテレビ電話インターホンであって、ドアホン呼出受付手段により呼出を受付けた際にドアホンからの映像信号および音声信号を所定時間記録する映像音声記録手段と、接続中の端末からの要求により映像音声記録手段により記録された映像および音声を再生してテレビ電話コーデック手段に送出する映像音声再生手段とを備えたものである。
この発明によれば、映像音声記録手段によりドアホンから呼出を受付けた際にドアホンからの映像信号および音声信号を所定時間記録し、映像音声再生手段により接続中の端末からの要求に従って記録された映像および音声を再生してテレビ電話コーデック手段に送出することができるので、ドアホンからの呼出に対して端末が応答できない場合でも、ドアホンの映像と音声を自動的に記録でき、後で再生して確認することができる。
また、ドアホンからの映像および音声の記録は、ドアホンからの呼出に同期して行われるので、例えばドアホンの呼出ボタンを押して逃げるいわゆる「ピンポンダッシュ」等のいたずらや不審者に対して、相手の行動を自動的に録画することができ、いたずらの防止や防犯に寄与することができる。【００１６】
請求項１０に記載の発明は、請求項１ないし請求項８のいずれかに記載のテレビ電話インターホンであって、ドアホン呼出受付手段により呼出を受付けた際にあらかじめ登録された応答メッセージをドアホンに送信する応答メッセージ出力手段と、ドアホンからの映像信号および音声信号を所定時間記録する映像音声記録手段と、接続中の端末からの要求により映像音声記録手段により記録された映像および音声を再生してテレビ電話コーデック手段に送出する映像音声再生手段とを備えたものである。
この発明によれば、応答メッセージ出力手段によりドアホンから呼出を受けた際にあらかじめ登録された応答メッセージをドアホンに送信し、映像音声記録手段によりドアホンから呼出を受付けた際にドアホンからの映像信号および音声信号を所定時間記録し、映像音声再生手段により接続中の端末からの要求に従って記録された映像および音声を再生してテレビ電話コーデック手段に送出することができるので、ドアホンからの呼出に対していずれの端末からも対応できない場合に自動的に応答して相手のメッセージを録画し、後で確認することができる。
また、ドアホンからの映像及び音声の記録は、ドアホンからの呼出に同期して応答メッセージを出力することができるので、例えばドアホンの呼出ボタンを押して逃げるいわゆる「ピンポンダッシュ」等のいたずらや不審者に対して、相手を威嚇することができ、いたずらの防止や防犯に寄与することができる。【００１７】
請求項１１に記載の発明は、請求項１ないし請求項１０のいずれかに記載のテレビ電話インターホンであって、周辺の映像を取得するテレビカメラと周辺の音を取得する集音手段と不審者に警告を発する警告手段と不審者を検出するセンサとを有する監視カメラと、単数、または複数のドアホンと監視カメラを切換えてテレビ電話コーデック手段に接続するドアホン切換手段とを備え、ドアホン呼出受付手段は、ドアホンからの呼出を受付ける機能と、監視カメラのセンサが検出したことによる呼出を受付ける機能とを有し、ドアホン切換手段は、ドアホンからの呼出を受付けたときにテレビ電話コーデック手段をドアホンに接続する機能と、監視カメラのセンサが検出したことによる呼出を受付けたときにテレビ電話コーデック手段を監視カメラに接続する機能とを有するものである。
この発明によれば、周辺の映像を取得するテレビカメラと周辺の音を取得する集音手段と不審者に警告を発する警告手段と不審者を検出するセンサとを有する監視カメラを備え、ドアホン切換手段によりドアホンと監視カメラを切換えてテレビ電話コーデック手段に接続することができるので、端末からドアホンだけでなく監視カメラの映像および音声を遠隔で監視できる。
また、この発明によれば、ドアホン呼出受付手段によりドアホンからの呼出のほか、監視カメラのセンサからの呼出を受付け、ドアホン切換手段によりドアホンから呼出を受付けたときはテレビ電話コーデック手段をドアホンに接続させ、センサからの呼出を受付けたときはテレビ電話コーデック手段を監視カメラに接続させることができるので、不審者や侵入者が検出されたときに、端末を自動呼出して遠隔で周辺の状況を監視させたり、監視カメラの映像および音声を一定時間自動記録して後で確認できるようにしたり、所定の応答メッセージにより相手を威嚇したりする等の防犯システムとして活用することができる。【００１８】
請求項１２に記載の発明は、請求項１ないし請求項１１のいずれかに記載のテレビ電話インターホンであって、電話回線またはインターネット回線を介して外部の端末と通信するための通信手段を備えたものである。
この発明によれば、通信手段により電話回線またはインターネット回線を介して外部の端末と通信することができるので，呼出先登録手段により呼出先として外部の端末のアドレスを登録することでドアホンからの呼出に対して外部の端末にも一斉呼出がかかり、ドアホンからの呼出に対して遠隔地のテレビ電話端末や携帯電話等から応答することができる。【００１９】
請求項１３に記載の発明は、請求項１ないし請求項３のいずれかに記載のテレビ電話インターホンに接続されるテレビ電話端末または携帯電話端末であって、一斉呼出手段による呼出に応じて接続する機能と、静止画像送信手段により送信された静止画像を受信して表示する機能と、ドアホンからの呼出に応答することが選択されたときに応答通知を行う機能と、応答通知に対して受入通知を受信したときにテレビ電話コーデック手段からの少なくとも音声の受信を開始する機能と、ドアホンと通話することが選択されたときにテレビ電話コーデック手段に対して少なくとも音声の送信を開始する機能とを有するものである。
この発明によれば、テレビ電話インターホンの一斉呼出手段による呼出に応じて接続し、ドアホンからの呼出に応答することが選択されたときに応答通知を行い、応答通知に対して受入通知を受信したときにテレビ電話コーデック手段からの少なくとも音声の受信を開始し、ドアホンと通話することが選択されたときにテレビ電話コーデック手段に対して少なくとも音声の送信を開始するので、ドアホンからの呼出に応答することができる。
また、この発明によれば、静止画像送信手段により送信された静止画像を受信して表示することができるので、応答するに先だってドアホンから呼出した相手の画像を確認して応答するかどうかを判断できる。
尚、この発明の端末がテレビ電話端末の場合には、応答通知に対して受入通知を受信したときにテレビ電話コーデック手段からの映像および音声の受信を開始するようにすればよい。また、この発明の端末がテレビ電話端末の場合であって、ドアホン側にモニタ画面を備える場合には、ドアホンと通話することが選択されたときにテレビ電話コーデック手段に対して映像および音声の送信を開始するようにしてもよい。【００２０】
請求項１４に記載の発明は、請求項６に記載のテレビ電話インターホンに接続されるテレビ電話端末または携帯電話端末であって、一斉呼出手段による呼出に応じて接続する機能と、静止画像送信手段により送信された静止画像を受信して表示する機能と、ドアホンからの呼出に応答することが選択されたときに応答通知を行う機能と、応答通知に対して受入通知を受信したときにドアホン会議からの少なくとも音声の受信を開始する機能と、ドアホンと通話することが選択されたときにドアホン会議に対して少なくとも音声の送信を開始する機能とを有するものである。
この発明によれば、テレビ電話インターホンの一斉呼出手段による呼出に応じて接続し、ドアホンからの呼出に応答することが選択されたときに応答通知を行い、応答通知に対して受入通知を受信したときにドアホン会議からの少なくとも音声の受信を開始し、ドアホンと通話することが選択されたときにドアホン会議に対して少なくとも音声送信を開始するので、ドアホンからの呼出に応答することができる。
また、この発明によれば、静止画像送信手段により送信された静止画像を受信して表示することができるので、応答するに先だってドアホンから呼出した相手の画像を確認して応答するかどうかを判断できる。
尚、この発明の端末がテレビ電話端末の場合には、応答通知に対して受入通知を受信したときにドアホン会議からの映像および音声の受信を開始するようにすればよい。また、この発明の端末がテレビ電話端末の場合であって、ドアホン側にモニタ画面を備える場合には、ドアホンと通話することが選択されたときにドアホン会議に対して映像および音声の送信を開始するようにしてもよい。
【発明の効果】
【００２１】
本願発明によれば、ドアホンからの呼出に対してあらかじめ登録された呼出先に対して一斉呼出を行うので、いずれの端末からでも応答できるという効果がある。
【図面の簡単な説明】
【００２２】
【図１】この発明の一実施形態にかかるテレビ電話インターホンを用いたシステムのシステム構成図である。
【図２】この発明の一実施形態にかかるテレビ電話インターホンの通信制御部における処理手順の概要を示すフロー図である。
【図３】この発明の一実施形態にかかるテレビ電話インターホンの通信制御部におけるドアホン呼出処理の処理手順を示すフロー図である。
【図４】この発明の一実施形態にかかるテレビ電話インターホンに接続される端末側の応答処理の処理手順を示すフロー図である。
【図５】この発明の一実施形態にかかるテレビ電話インターホンの通信制御部における端末呼出処理の処理手順を示すフロー図である。
【図６】この発明の一実施形態にかかるテレビ電話インターホンに接続される端末側の監視処理の処理手順を示すフロー図である。
【図７】この発明の一実施形態にかかるテレビ電話インターホンにおけるドアホン呼出画面の一例を示す図である。
【図８】この発明の一実施形態にかかるテレビ電話インターホンにおけるドアホン応答画面の一例を示す図である。
【図９】この発明の一実施形態にかかるテレビ電話インターホンにおける転送先選択画面の一例を示す図である。
【図１０】この発明の一実施形態にかかるテレビ電話インターホンにおけるメッセージ選択画面の一例を示す図である。
【図１１】この発明の一実施形態にかかるテレビ電話インターホンにおけるドアホン監視画面の一例を示す図である。
【図１２】この発明の他の実施形態にかかるテレビ電話インターホンを用いたシステムのシステム構成図である。
【図１３】この発明の他の実施形態にかかるテレビ電話インターホンの通信制御部における処理手順の概要を示すフロー図である。
【図１４】この発明の他の実施形態にかかるテレビ電話インターホンの通信制御部におけるドアホン呼出処理の処理手順を示すフロー図である。
【図１５】この発明の他の実施形態にかかるテレビ電話インターホンに接続される端末側の応答処理の処理手順を示すフロー図である。
【図１６】この発明の他の実施形態にかかるテレビ電話インターホンの通信制御部における端末呼出処理の処理手順を示すフロー図である。
【図１７】この発明の他の実施形態にかかるテレビ電話インターホンに接続される端末側の監視処理の処理手順を示すフロー図である。
【図１８】この発明の他の実施形態にかかるテレビ電話インターホンにおけるドアホン応答画面の一例を示す図である。
【図１９】この発明の他の実施形態にかかるテレビ電話インターホンにおけるドアホン監視画面の一例を示す図である。
【符号の説明】
【００２３】
１００、１１０  ドアホン
１０１、１１１  テレビカメラ
１０２、１１２  マイク
１０３、１１３  スピーカ
１０４、１１４  呼出ボタン
１２０  監視カメラ
１２１  テレビカメラ
１２２  集音手段
１２３  警告手段
１２４  不審者を検出するセンサ
１２５  多重・分離回路
２００  テレビ電話インターホン
２１０  ドアホン切換部
２２０  多重・分離部
２３０  テレビ電話コーデック
２４０  通信インターフェース
２５０  呼出検出部
２６０  通信制御部
２６２  呼出先記憶部
２７０  録画再生部
２７２  生／録切換部
２８０  ＭＣＵ
３００  宅内ＬＡＮ
４１０、４２０、４３０  テレビ電話端末
４１２  テレビ電話端末用受話器
６００  インターネット接続装置
７００  公衆電話回線
８００  携帯電話基地局
８１０  携帯電話
【発明を実施するための最良の形態】
【００２４】
図１にこの発明の一実施形態にかかるテレビ電話インターホンを用いたシステムのシステム構成図を示す。
図において、１００，１１０は玄関等に設置されるテレビカメラ付きのドアホン（通常はドアホン子機と呼ばれるが、ここでは特に親機を有しないので単にドアホンと呼ぶ）、１２０は屋外の周辺状況等を監視するための監視カメラ、２００はテレビカメラ付きのドアホンや監視カメラとテレビ電話端末との間でテレビ映像の伝送を含むインターホン通話機能を提供するテレビ電話インターホン、４１０，４２０，４３０は宅内に設けられてドアホンからの呼出に応答したり監視カメラによる遠隔監視を行うテレビ電話端末である。
ドアホン１００，１１０と監視カメラ１２０は、テレビ電話インターホン２００に接続されており、テレビ電話インターホン２００は、宅内ＬＡＮ３００を介してテレビ電話端末４１０，４２０，４３０と接続されている。さらに、宅内ＬＡＮ３００には、インターネット接続装置６００が接続されており、テレビ電話インターホン２００は、インターネット回線７００を介して携帯電話基地局８００と接続され、携帯電話８１０との間で通信を行うことができる。【００２５】
ドアホン１００，１１０は、来訪者を撮像するテレビカメラ１０１，１１１と、来訪者の音声を入力するマイク１０２，１１２と、来訪者に対して応答者の音声を出力するスピーカ１０３，１１３と、来訪者から宅内を呼出す「呼出」ボタン１０４，１１４とを備え、図示しない多重・分離回路を介してテレビ電話インターホン２００に接続される。【００２６】
監視カメラ１２０は、周辺状況を撮像するテレビカメラ１２１と、周辺の音を集音する集音手段１２２と、周辺に対して警告を発する警告手段１２３と、不審者を検出するセンサ１２４とを備え、多重・分離回路１２５を介してテレビ電話インターホン２００に接続される。【００２７】
テレビ電話インターホン２００は、ドアホン切換部２１０と、多重・分離部２２０と、テレビ電話コーデック２３０と、通信インターフェース２４０と、呼出検出部２５０と、通信制御部２６０と、録画再生部２７０と、生／録切換部２７２とを備える。【００２８】
ドアホン切換部２１０は、ドアホン１００，１１０と監視カメラ１２０のいずれかを選択してテレビ電話コーデック２３０に接続するものであり、後述する呼出検出部２５０からの呼出信号やテレビ電話端末４１０，４２０，４３０または携帯電話８１０等からの要求に基づき、通信制御部２６０からの指令によって切替えが行われる。【００２９】
多重・分離部２２０は、ドアホン１００，１１０または監視カメラ１２０において多重化された映像信号と音声信号と呼出信号とを分離したり、テレビ電話コーデックからの映像信号と音声信号を多重化してドアホン１００，１１０や監視カメラ１２０に供給するためのものであるが、ドアホン切換部２１０で各信号を個別に切替え、ドアホンや監視カメラとの各信号の配線を個別に分離して行う場合には省略してもよい。【００３０】
テレビ電話コーデック２３０は、ドアホン１００，１１０または監視カメラ１２０からの映像信号および音声信号をテレビ電話コード化してテレビ電話端末に送信する機能と、テレビ電話端末から受信されたテレビ電話コードをデコードして音声信号をドアホン１００，１１０または監視カメラ１２０に送出する機能を備えている。
尚、テレビモニタ付きのドアホンを用いて来訪者に応答者の映像を提供する場合には、テレビ電話端末から受信されたテレビ電話コードをデコードして映像信号および音声信号をドアホンに送出するようにしてもよい。【００３１】
通信インターフェース２４０は、テレビ電話コーデック２３０や通信制御部２６０を所定のテレビ電話通信プロトコルにより外部の端末と双方向通信を行うための通信インターフェースであり、ここでは宅内ＬＡＮ３００を介してテレビ電話端末４１０，４２０，４３０と接続したり、インターネット接続装置６００を介してインターネット上のテレビ電話端末と接続したり、更には携帯電話通信網を介して携帯電話８１０等と接続したりすることができる。【００３２】
呼出検出２５０は、ドアホン１００，１１０の「呼出」ボタン１０４，１１４が押されたり、監視カメラ１２０のセンサ１２４が不審者等を検出したときに、その信号を検出して通信制御部２６０に伝達する機能を有する。【００３３】
通信制御２６０は、テレビ電話インターホン２００の全体を制御するものであり、呼出検出部２５０において検出されたドアホン１００，１１０または監視カメラ１２０からの呼出信号を受け、ドアホン切換部２１０に対して切換信号を送出し、呼出のあったドアホンまたは監視カメラにチャンネルを自動切換したり、多重・分離部２２０からドアホン１００，１１０または監視カメラ１２０の映像信号を取得し、静止画像としてキャプチャしてテレビ電話端末４１０，４２０，４３０や携帯電話８１０等に送信したり、テレビ電話端末４１０，４２０，４３０または携帯電話８１０等からの指令に基づき、選択されたメッセージを多重・分離部２２０に送出してドアホン１００，１１０または監視カメラ１２０に応答メッセージを発声させる等の機能を有する。
また、通信制御２６０は、テレビ電話端末４１０，４２０，４３０または携帯電話８１０等からの指令でドアホン１００，１１０や監視カメラ１２０からの呼出を受けたときに呼出す呼出先の端末アドレスを登録する呼出先記憶部２６２を備え、呼出検出部２１０から呼出信号を受けたときに、呼出先記憶部２６２に登録されている呼出先データに基づいてテレビ電話端末４１０，４２０，４３０や携帯電話８１０等を一斉呼出し、そのうち最先に応答することを通知した端末をテレビ電話コーデック２３０に接続する機能を有する。尚、呼出先記憶部２６２に登録される端末アドレスとしては、例えばＬＡＮ上の端末やインターネット上の端末の場合はＩＰアドレスを用いることができ、公衆電話回線上のＩＰ電話端末の場合は電話番号を用いることができる。【００３４】
録画再生部２７０は、通信制御部２６０からの指令により多重・分離部２２０からの映像信号および音声信号を録画したり、録画されたものを再生して映像信号および音声信号をテレビ電話コーデックに送出する機能を有し、生／録切換部２７２は、通信制御部２６０からの指令によりテレビ電話コーデックの入力を多重・分離部２２０からの生の映像信号および音声信号を用いるか、録画再生部２７０からの再生映像および再生音声を用いるかを切替える。これにより、通信制御部２６０は、ドアホン１００，１１０または監視カメラ１２０からの呼出に対してドアホン１００，１１０または監視カメラ１２０の映像および音声を自動録画させて、後からテレビ電話端末４１０，４２０，４３０または携帯電話端末８１０等からの指令によって再生して確認することができる。【００３５】
テレビ電話端末４１０，４２０，４３０は、テレビ電話インターホン２００からの一斉呼出に応じてテレビ電話コーデック２３０に接続する機能と、テレビ電話インターホン２００から送信された静止画像を受信して表示する機能と、ドアホンからの呼出に応答することが選択されたときに応答通知を行う機能を備えている。また、ドアホンと通話することが選択されたときにテレビ電話コーデック２３０に対して音声送信を開始する機能を備えている。
ここで、テレビ電話端末４１０は、家庭用テレビの上にテレビ電話通信機能を有するセットトップボックスを設置し，セットトップボックスから垂下されたテレビカメラで使用者を撮像するようにしたものである。ここで、音声の送受信はコードレスの受話器４１２で行うようにしているが、音声出力はテレビに内蔵するスピーカを用い、音声入力は別途設けたマイクで行うようにしてもよく、ヘッドセット等を用いるようにしてもよい。【００３６】
上記実施形態では、家庭内ＬＡＮ３００はインタネット接続装置６００を介してインターネット回線７００に接続され、インターネットを経由して携帯電話網に接続されると説明したが、ゲートウェイを介してＩＳＤＮ公衆電話回線に接続するようにしてもよい。
また、テレビ電話インターホン２００にＩＳＤＮ等の電話回線と接続するインターフェースを設け、ドアホンまたは監視カメラからの呼出に対して、電話回線を介して外部の電話端末を呼出す機能を備えるようにしてもよい。
尚、ここでは、テレビ電話インターホン２００は家庭内ＬＡＮを介してテレビ電話端末４１０，４２０，４３０と接続しているので、テレビ電話の通信プロトコルとして、例えばＩＴＵ−Ｔ勧告のＨ．３２３やＩＥＴＦの標準であるＳＩＰに準拠したＩＰ型テレビ電話プロトコルに対応したものを使用することができる。また、通信回線としてＩＳＤＮ公衆回線を使用する場合には、ＩＴＵ−Ｔ勧告のＨ．３２０に準拠したＩＳＤＮテレビ電話プロトコルに対応したものを使用することができる。また、テレビ電話プロトコルはこれらに限らず、通信回線を介して映像および音声の双方向通信を行えるものである限り、どのようなものを使用してもよい。【００３７】
携帯電話８１０は、テレビ電話端末４１０，４２０，４３０と同等の機能を有する携帯電話であり、テレビ電話機能を有するものであることが好ましい。しかしながら、テレビ電話機能を有しない通常の携帯電話であっても、テレビ電話インターホン２００から送信される静止画像を表示する画像表示機能を有するものであれば、ドアホンから呼出した相手の画像を確認でき、ドアホンとの間で双方向の音声通信を行うことができるので、ドアホン１００，１１０からの呼出に対して応答することができる。【００３８】
次に、この発明の一実施形態にかかるテレビ電話インターホンを用いたシステムの通信制御手順について説明する。
図２にこの発明の一実施形態にかかるテレビ電話インターホンの通信制御部における処理手順の概要を示す。
テレビ電話インターホン２００が待機状態であるときに、呼出検出部２５０によりドアホンまたは監視カメラからの呼出が検出された場合には（Ｓ１００）、モード選択において「自動応答」と設定されていれば（Ｓ１０２）、通信制御部２６０に登録されている応答メッセージから選択されたメッセージをドアホンまたは監視カメラに出力し（Ｓ１０４）、ドアホンまたは監視カメラの映像を録画再生部２７０により一定時間録画し（Ｓ１０６）、Ｓ１００に戻る。また、モード選択において「自動録画」と設定されていれば（Ｓ１０８）、ドアホンまたは監視カメラの映像を録画再生部２７０により一定時間録画し（Ｓ１１０）、モード選択において「通常」と設定されている場合を含めて、後述のドアホン呼出処理（Ｓ２００）を実行する。
また、端末からの呼出があった場合には（Ｓ１１２）、後述の端末呼出処理（Ｓ３００）を実行する。
このように、ドアホンまたは監視カメラからの呼出があったときに自動応答する機能を有するので、誰も応答できない場合でも来訪者の用件や周辺の状況を一定時間録画しておいて後で再生して確認することができる。
また、ドアホンまたは監視カメラからの呼出があったときに一定時間自動録画する機能を備えるので、ドアホンの「呼出」ボタンを押して逃げるいわゆる「ピンポンダッシュ」のようないたずらや監視カメラで検出される不審者の行動を録画でき、いたずらの防止や防犯に寄与することができる。【００３９】
図３に、この発明の一実施形態にかかるテレビ電話インターホンの通信制御部におけるドアホン呼出処理（Ｓ２００）の処理手順を示す。
最初に、ドアホンまたは監視カメラからの呼出を検出した際のドアホンまたは監視カメラの映像を静止画像としてキャプチャし（Ｓ２０２）、呼出先記録部２６２に登録されているすべての端末を一斉呼出する（Ｓ２０４）。
一斉呼出された各端末について接続が確立されたら（Ｓ２０６）、キャプチャされた画像を順次送信し（Ｓ２０８）、全端末に対して完了するかタイムアップするまで繰返す（Ｓ２１０）。そして、一斉呼出に応じて接続された端末から「応答通知」が受信されれば（Ｓ２１２）、最先に「応答通知」を受けた端末に受入通知を送信し、その他の端末に「拒絶通知」を送信し（Ｓ２１６）、最先に「応答通知」が受信された端末とテレビ電話接続する（Ｓ２１８）。一定時間内に「応答通知」が受信されなければ（Ｓ２１４）、ドアホン呼出処理を終了する。
端末から転送要求が受信されたら（Ｓ２２０）、現在のテレビ電話接続を保留し（Ｓ２２２）、呼出先記録部２６２を参照して転送先リストを取得して要求元に送信する（Ｓ２２４）。
端末から「呼出要求」が受信されたら（Ｓ２２６）、指定された転送先を呼出し（Ｓ２２８）、転送先から「受入通知」が受信されたら（Ｓ２３０）、要求元と転送先を接続し（Ｓ２３２）、転送先から「拒否通知」が受信されたら（Ｓ２３４）、要求元に「拒否通知」を送信する（Ｓ２３６）。
端末から「復帰要求」が受信されたら（Ｓ２３８）、保留されていたテレビ電話接続を復帰する（Ｓ２４０）。
端末から「メッセージ要求」が受信されたら（Ｓ２４２）、指定されたメッセージを多重・分離部２２０に出力する（Ｓ２４４）。
端末から「監視要求」が受信されたら（Ｓ４２６）、後述の端末呼出処理へ移行する。
以上の処理をＳ２２０から繰返し、端末から接続を終了されたら（Ｓ２４８）、呼出中の端末がある場合には（Ｓ２５０）、テレビ電話接続を転送先に付替えた上で（Ｓ２５２）、ドアホン呼出処理を終了する。【００４０】
図４にこの発明の一実施形態にかかるテレビ電話インターホンに接続される端末側の応答処理（Ｓ４００）の処理手順を示す。
テレビ電話インターホン２００からの一斉呼出に応じて接続が確立された端末側では、キャプチャ画像を受信して、図７に示すようなドアホン呼出画面を表示する（Ｓ４０２）。図７（１）はドアホン＃１から呼出があった場合の例を示し、図７（２）は監視カメラから呼出があった場合の例を示す。いずれも、画面には受信されたキャプチャ画像が表示され、呼出に応答するための「応答」ボタンを備える。
ドアホン呼出画面において、「応答」ボタンが押されたら（Ｓ４０４）、テレビ電話インターホン２００に「応答通知」を送信する（Ｓ４０６）。
これに対して、テレビ電話インターホン２００から「受入通知」が受信されたら（Ｓ４０８）、図８に示すようなドアホン応答画面を表示し（Ｓ４１４）、テレビ電話の受信を開始する（Ｓ４１６）。ドアホン応答画面においては、相手方の映像が表示され、「通話」ボタン、「転送」ボタン、「メッセージ」ボタン、「監視」ボタンを備える。
テレビ電話インターホン２００から「拒否通知」が受信されたら（Ｓ４１０）、応答が
拒否された旨の拒否メッセージを表示して（Ｓ４１２）、端末側の応答処理を終了する。
ドアホン応答画面において、「通話」ボタンがＯＮされたら（Ｓ４２０）、テレビ電話インターホン２００に対して音声送信を開始する（Ｓ４２２）。
「通話」ボタンがＯＦＦされたら（Ｓ４２４）、テレビ電話インターホン２００に対する音声送信を停止する（Ｓ４２６）。
「転送」ボタンが押されたら（Ｓ４２８）、テレビ電話インターホン２００に「転送要求」を送信し（Ｓ４３０）、テレビ電話インターホン２００から転送先リストを取得して、図９に示すような転送先選択画面を表示する（Ｓ４３２）。転送先選択画面には、呼出先のリストと「呼出」ボタン、「復帰」ボタンを備える。転送先選択画面において、転送先が選択されて「呼出」ボタンが押されると（Ｓ４３４）、テレビ電話インターホン２００に「呼出要求」を送信する（Ｓ４３６）。また、「復帰」ボタンが押されると（Ｓ４３８）、テレビ電話インターホン２００に「復帰要求」を送信する（Ｓ４４０）。
「メッセージ」ボタンが押されると（Ｓ４４２）、図１０に示すようなメッセージ選択画面を表示する（Ｓ４４４）。メッセージ選択画面には、選択可能なメッセージの内容が男声、女声、擬音に分けて表示され、「発声」ボタン、「中止」ボタンを備える。メッセージ選択画面において、メッセージが選択されて「発声」ボタンが押されると（Ｓ４４６）、テレビ電話インターホン２００に「メッセージ要求」を送信する（Ｓ４４８）。また、「中止」ボタンが選択されると（Ｓ４５０）、Ｓ４２０に戻る。
「監視」ボタンが押されると、テレビ電話インターホン２００に「監視要求」を送信し（Ｓ４５４）、後述の端末側監視処理（Ｓ５００）に移行する。
以上の処理をＳ４２０から繰返し、端末が接続を終了したら（Ｓ４５６）、端末側の応答処理を終了する。【００４１】
次に、端末側からテレビ電話インターホン２００を呼出して、ドアホンまたは監視カメラの映像や音声を監視したり、ドアホンまたは監視カメラの映像および音声を録画したり、録画された映像および音声を再生して確認したりする処理について述べる。
図５にこの発明の一実施形態にかかるテレビ電話インターホンの通信制御部における端末呼出処理（Ｓ３００）の処理手順を示す。
端末側からの呼出に対してテレビ電話接続し（Ｓ３０２）、「ドアホン切換要求」が受信されたら（Ｓ３０４）、ドアホン切換部２１０を指定されたチャンネルに設定する（Ｓ３０６）。
端末から「モード切換要求」が受信されたら（Ｓ３０８）、監視のモードを「通常」、「自動応答」、「自動録画」のいずれか指定されたモードに設定する（Ｓ３１０）。
端末から「メッセージ要求」が受信されたら（Ｓ３１２）、多重・分離部２２０に指定されたメッセージを出力する（Ｓ３１４）。
端末から「録画要求」が受信されたら（Ｓ３１６）、録画再生部２７０に録画開始を指令する（Ｓ３１８）。これにより、現在選択中のドアホンの映像および音声が録画される。
端末から「再生要求」が受信されたら（Ｓ３２０）、録画再生部２７０に再生開始を指令し、生／録切換部２７２を録画側に切替える（Ｓ３２２）。これにより、端末に対して録画再生部に録画された映像および音声を再生した映像および音声が送信される。
端末から「消去要求」が受信されたら（Ｓ３２４）、録画再生部２７０において再生中の映像および音声を消去する（Ｓ３２６）。
端末から「停止要求」が受信されたら（Ｓ３２８）、録画再生部２７０に対して録画・再生を停止する（Ｓ３３０）。
以上の処理をＳ３０４から繰返し、端末が接続を終了したら（Ｓ３３２）、端末呼出処理を終了する。【００４２】
図６にこの発明の一実施形態にかかるテレビ電話インターホンに接続される端末側の監視処理（Ｓ５００）の処理手順を示す。
最初に、テレビ電話インターホン２００を呼出し（Ｓ５０２）、接続が確立されたら（Ｓ５０４）、図１１に示すようなドアホン監視画面を表示し（Ｓ５０６）、テレビ電話受信を開始する（Ｓ５０８）。ドアホン監視画面においては、ドアホンからの映像が表示され、ドアホンのチャンネルを設定する「ドアホン選択」ボタン、監視のモードを設定する「モード選択」ボタン、「通話」ボタン、「メッセージ」ボタン、「録画」ボタン、「再生」ボタン、「消去」ボタン、「停止」ボタンを備える。
ドアホン監視画面において、「ドアホン選択」ボタンが押されたら（Ｓ５１０）、テレビ電話インターホン２００に対して選択されたチャンネルを指定して「ドアホン切換要求」を送信する（Ｓ５１２）。
「モード選択」ボタンが押されたら（Ｓ５１４）、テレビ電話インターホン２００に対して選択されたモードを指定して「モード切換要求」を送信する（Ｓ５１６）。
「通話」ボタンがＯＮされたら（Ｓ５１８）、テレビ電話インターホン２００に対して音声送信を開始する（Ｓ５２０）。
「通話」ボタンがＯＦＦされたら（Ｓ５２２）、テレビ電話インターホン２００に対する音声送信を停止する（Ｓ５２４）。
「メッセージ」ボタンが押されたら（Ｓ５２６）、図１０と同様のメッセージ選択画面を表示し（Ｓ５２８）、メッセージ選択画面において「発声」ボタンが押されたら（Ｓ５３０）、テレビ電話インターホン２００に対して選択されたメッセージを指定して「メッセージ要求」を送信し（Ｓ５３２）、「中止」ボタンが押されたら（Ｓ５３４）、Ｓ５１０に戻る。
「録画」ボタンが押されたら（Ｓ５３６）、テレビ電話インターホン２００に「録画要求」を送信する（Ｓ５３８）。
「再生」ボタンが押されたら（Ｓ５４０）、テレビ電話インターホン２００に「再生要求」を送信する（Ｓ５４２）。
「消去」ボタンが押されたら（Ｓ５４４）、テレビ電話インターホン２００に「消去要求」を送信する（Ｓ５４６）。
「停止」ボタンが押されたら（Ｓ５４８）、テレビ電話インターホン２００に「停止要求」を送信する（Ｓ５５０）。
以上の処理をＳ５１０から繰返し、端末が接続を終了したら（Ｓ５５２）、端末側の監視処理を終了する。【００４３】
図１２にこの発明の他の実施形態にかかるテレビ電話インターホンを用いたシステムのシステム構成図を示す。
本実施形態では、図１に示した実施形態のテレビ電話インターホン２００において、通信インターフェース２４０を、ＭＣＵ２８０としたものであり、その他の構成要素については図１の実施形態と同様であるので説明を省略する。
ＭＣＵ２８０は、多地点制御装置（Multipoint Control Unit）であり、複数のテレビ電話端末を接続してテレビ会議を行う機能を有する。【００４４】
ここでは、ＭＣＵ２８０にテレビ電話コーデック２３０と常時接続されるドアホン会議を設定し、ドアホン１００，１１０または監視カメラ１２０からの呼出に対してテレビ電話端末４１０，４２０，４３０や携帯電話８１０等を一斉呼出し、これに対して応答することを通知した端末をドアホン会議に接続することで、ドアホンまたは監視カメラからの呼出に対して複数の端末から同時に応答できるようにしたものである。【００４５】
また、ＭＣＵ２８０にドアホン会議とは別に特定の端末間でテレビ会議を行う個別会議を設定し、ドアホン会議に接続中の端末からの呼出を受入れた呼出先と要求元を個別会議に接続することで、ドアホンまたは監視カメラからの呼出に対して対応中に別途内輪で相談すること等を可能としたものである。【００４６】
また、ＭＣＵ２８０は、ドアホンまたは監視カメラからの映像および音声と接続中の端末から受信された映像および音声を合成して接続中の端末に送信する機能と、ドアホンからの呼出に応答することを通知した端末から受信された音声を合成してドアホンに送信する機能とを有し、接続中の端末に送信する合成映像において、ドアホンからの呼出に応答することを通知した端末の映像に通話マークを付す機能を有する。【００４７】
次に、この発明の他の実施形態にかかるテレビ電話インターホンを用いたシステムの通信制御手順について説明する。
図１３にこの発明の他の実施形態にかかるテレビ電話インターホンの通信制御部における処理手順の概要を示す。
この実施形態においては、最初にＭＣＵ２８０にドアホン会議と個別会議を設定し、ドアホン会議にテレビ電話コーデック２３０を接続しておく（Ｓ１５０）。
そして、テレビ電話インターホン２００が待機状態であるときに、呼出検出部２５０によりドアホンまたは監視カメラからの呼出が検出された場合には（Ｓ１５２）、モード選択において「自動応答」と設定されていれば（Ｓ１５４）、通信制御部２６０に登録されている応答メッセージから選択されたメッセージをドアホンに出力し（Ｓ１５６）、ドアホンまたは監視カメラの映像を録画再生部２７０により一定時間録画し（Ｓ１５８）、Ｓ１５２に戻る。また、モード選択において「自動録画」と設定されていれば（Ｓ１６０）、ドアホンまたは監視カメラの映像を録画再生２７０により一定時間録画し（Ｓ１６２）、モード選択において「通常」と設定されている場合を含めて、後述のドアホン呼出処理（Ｓ６００）を実行する。
また、端末から呼出があった場合には（Ｓ１６４）、後述の端末呼出処理（Ｓ７００）を実行する。
このように、ドアホンまたは監視カメラからの呼出があったときに自動応答する機能を有するので、誰も応答できない場合でも来訪者の用件や周辺の状況を一定時間録画しておいて後で再生して確認することができる。
また、ドアホンまたは監視カメラからの呼出があったときに一定時間自動録画する機能を備えるので、ドアホンの「呼出」ボタンを押して逃げるいわゆる「ピンポンダッシュ」のようないたずらや監視カメラで検出される不審者の行動を録画でき、いたずらの防止や防犯に寄与することができる。【００４８】
図１４にこの発明の他の実施形態にかかるテレビ電話インターホンの通信制御部におけるドアホン呼出処理（Ｓ６００）の処理手順を示す。
最初に、ドアホンまたは監視カメラからの呼出を検出した際のドアホンまたは監視カメラの映像を静止画像としてキャプチャし（Ｓ６０２）、呼出先記録部２６２に登録されているすべての端末を一斉呼出する（Ｓ６０４）。
一斉呼出された各端末について接続が確立されたら（Ｓ６０６）、キャプチャされた画像を順次送信し（Ｓ６０８）、全端末に対して完了するかタイムアップするまで繰返す（Ｓ６１０）。そして、一斉呼出に応じて接続された端末から応答通知が受信されれば（Ｓ６１２）、呼出を行った呼出先と応答通知を受信した端末のリストを端末に送信し（Ｓ６１６）、応答通知を受信した端末をドアホン会議に接続する（Ｓ６１８）。一定時間内に応答通知が受信されなければ（Ｓ６１４）、ドアホン呼出処理を終了する。
端末から「呼出要求」が受信されたら（Ｓ６２０）、呼出先に「呼出通知」を送信し（Ｓ６２２）、要求元の接続を個別会議に付替える（Ｓ６２４）。
端末から「受入通知」が受信されたら（Ｓ６２６）、要求元に「受入通知」を送信し（Ｓ６２８）、呼出元を個別会議に付替える（Ｓ６３０）。
端末から「拒否通知」が受信されたら（Ｓ６３２）、要求元に「拒否通知」を送信する（Ｓ６３４）。
端末から「復帰要求」が受信されたら（Ｓ６３６）、要求元の接続をドアホン会議に付替える（Ｓ６３８）。
端末から「通話ＯＮ通知」が受信されたら（Ｓ６４０）、ＭＣＵ２８０において合成された映像の要求元の映像に通話マークを表示する（Ｓ６４２）。
端末から「通話ＯＦＦ通知」が受信されたら（Ｓ６４４）、ＭＣＵ２８０において合成された映像の要求元の映像の通話マークを非表示とする（Ｓ６４６）。
端末から「メッセージ要求」が受信されたら（Ｓ６４８）、選択されたメッセージを多重・分離部２２０に出力する（Ｓ６５０）。
以上の処理をＳ６２０から繰返し、端末から接続を終了されたら（Ｓ６５２）、ドアホン呼出処理を終了する。【００４９】
図１５にこの発明の他の実施形態にかかるテレビ電話インターホンに接続される端末側の応答処理（Ｓ８００）の処理手順を示す。
テレビ電話インターホン２００からの一斉呼出に応じて接続が確立された端末側では、キャプチャ画像を受信して、図７と同様のドアホン呼出画面を表示する（Ｓ８０２）。
ドアホン呼出画面において、「応答」ボタンが押されたら（Ｓ６０４）、テレビ電話インターホン２００に「応答通知」を送信する（Ｓ８０６）。
次に、テレビ電話インターホン２００から呼出先リストを受信し（Ｓ８０８）、図１８に示すようなドアホン応答画面を表示し（Ｓ８１０）、テレビ電話の受信を開始する（Ｓ８１２）。このドアホン応答画面においては、ドアホンまたは監視カメラの映像と、ドアホン会議に接続している各端末の映像が合成されて表示され、特に「通話」をＯＮとしている端末については通話マークとして画面枠が強調表示される。尚、画面中で映像が表示されていないものはテレビ電話機能を有しない電話端末から接続されているものである。また、このドアホン応答画面では、未接続の呼出先リストが表示され、「通話」ボタン、「呼出」ボタン、「メッセージ」ボタン、「監視」ボタンを備える。
ドアホン応答画面において、「通話」ボタンがＯＮされたら（Ｓ８１４）、テレビ電話インターホン２００に対して音声送信を開始し（Ｓ８１６）、「通話ＯＮ通知」を送信する（Ｓ８１８）。
「通話」ボタンがＯＦＦされたら（Ｓ８２０）、テレビ電話インターホン２００に対する音声送信を停止し（Ｓ８２２）、「通話ＯＦＦ通知」を送信する（Ｓ８２４）。
「呼出」ボタンが押されたら（Ｓ８２６）、テレビ電話インターホン２００に「呼出要求」を送信し（Ｓ８２８）、テレビ電話インターホン２００から「受入通知」が受信されたら（Ｓ８３０）、個別会議画面（図示省略）を表示する（Ｓ８３２）。個別会議画面において「復帰」ボタンが押されたら（Ｓ８３４）、テレビ電話インターホン２００に「復帰要求」を送信し（Ｓ８３６）、ドアホン応答画面に戻る（Ｓ８３８）。また、テレビ電話インターホン２００から「拒否通知」が受信されたら（Ｓ８４０）、呼出が拒否されたことを知らせる拒否メッセージ（図示省略）を表示する（Ｓ８４２）。
「メッセージ」ボタンが押されたら（Ｓ８４４）、図１０と同様のメッセージ選択画面を表示する（Ｓ８４６）。メッセージ選択画面において、メッセージが選択されて「発声」ボタンが押されると（Ｓ８４８）、テレビ電話インターホン２００に「メッセージ要求」を送信する（Ｓ８５０）。「中止」ボタンが選択されると（Ｓ８５２）、Ｓ８１４に戻る。
「監視」ボタンが押されると、テレビ電話インターホン２００に「監視要求」を送信し（Ｓ８５６）、後述の端末側監視処理（Ｓ９００）に移行する。
「呼出通知」が受信されると（Ｓ８５８）、他の端末から呼出を受けたことを知らせる呼出受付画面（図示省略）を表示する（Ｓ８６０）。呼出表示画面において、「受入」ボタンが押されたら（Ｓ８６２）、テレビ電話インターホン２００に「受入通知」を送信し（Ｓ８６４）、個別会議画面（図示省略）を表示する（Ｓ８６６）。個別会議画面において、「復帰」ボタンが押されたら（Ｓ８６８）、テレビ電話インターホン２００に「復帰要求」を送信し（Ｓ８７０）、ドアホン応答画面に戻る（Ｓ８７２）。また、呼出受付画面において「拒否」ボタンが押されたら（Ｓ８７４）、テレビ電話インターホン２００に「拒否通知」を送信し（Ｓ８７６）、ドアホン応答画面に戻る（Ｓ８７２）。
以上の処理をＳ８１４から繰返し、端末が接続を終了したら（Ｓ８８０）、端末側の応答処理を終了する。【００５０】
次に、端末側からテレビ電話インターホン２００を呼出して、ドアホンまたは監視カメラの映像や音声を監視したり、ドアホンまたは監視カメラの映像および音声を録画したり、録画された映像および音声を再生して確認したりする処理について述べる。
図１６にこの発明の他の実施形態にかかるテレビ電話インターホンの通信制御部における端末呼出処理（Ｓ７００）の処理手順を示す。
最初に、呼出を受けた端末に対して呼出先記憶部２６２に登録されている呼出先リストを送信し（Ｓ７０１）、当該端末をドアホン会議に接続する（Ｓ７０２）。
端末から「ドアホン切換要求」が受信されたら（Ｓ７０４）、ドアホン切換部２１０を指定されたチャンネルに設定する（Ｓ７０６）。
端末から「モード切換要求」が受信されたら（Ｓ７０８）、監視のモードを「通常」、「自動応答」および「自動録画」のいずれか指定されたモードに設定する（Ｓ７１０）。
端末から「メッセージ要求」が受信されたら（Ｓ７１２）、多重・分離部２２０に指定されたメッセージを出力する（Ｓ７１４）。
端末から「録画要求」が受信されたら（Ｓ７１６）、録画再生部２７０に録画開始を指令する（Ｓ７１８）。これにより、現在選択中のドアホンの映像および音声が録画される。
端末から「再生要求」が受信されたら（Ｓ７２０）、録画再生部２７０に再生開始を指令し、生／録切換部２７２を録画側に切替える（Ｓ７２２）。これにより、端末に対して録画再生部２７０に録画された映像および音声を再生した映像および音声が送信される。
端末から「消去要求」が受信されたら（Ｓ７２４）、録画再生部２７０において再生中の映像および音声を消去する（Ｓ７２６）。
端末から「停止要求」が受信されたら（Ｓ７２８）、録画再生部２７０に対して録画・再生を停止する（Ｓ７３０）。
端末から「通話ＯＮ通知」が受信されたら（Ｓ７３２）、ＭＣＵ２８０において合成された映像の要求元の映像に通話マークを表示する（Ｓ７３４）。
端末から「通話ＯＦＦ通知」が受信されたら（Ｓ７３６）、ＭＣＵ２８０において合成された映像の要求元の映像の通話マークを非表示とする（Ｓ７３８）。
以上の処理をＳ７０４から繰返し、端末が接続を終了したら（Ｓ７４０）、端末呼出処理を終了する。【００５１】
図１７にこの発明の他の実施形態にかかるテレビ電話インターホンに接続される端末側の監視処理（Ｓ９００）の処理手順を示す。
最初に、テレビ電話インターホン２００を呼出し（Ｓ９０２）、接続が確立されたら（Ｓ９０４）、テレビ電話インターホン２００から、呼出先リストを受信し（Ｓ９０５）、図１９に示すようなドアホン監視画面を表示し（Ｓ９０６）、テレビ電話受信を開始する（Ｓ９０８）。このドアホン監視画面においては、ドアホンからの映像とドアホン会議に接続中の端末の映像が合成されて表示され、特に「通話」をＯＮとしている端末については通話マークとして画面枠が強調表示される。尚、画面中で映像が表示されていないものはテレビ電話機能を有しない電話端末から接続されているものである。また、このドアホン監視画面においては、ドアホンのチャンネルを設定する「ドアホン選択」ボタン、監視のモードを設定する「モード選択」ボタン、「通話」ボタン、「メッセージ」ボタン、「録画」ボタン、「再生」ボタン、「消去」ボタン、「停止」ボタンを備える。
ドアホン監視画面において、「ドアホン選択」ボタンが押されたら（Ｓ９１０）、テレビ電話インターホン２００に対して選択されたチャンネルを指定して「ドアホン切換要求」を送信する（Ｓ９１２）。
「モード選択」ボタンが押されたら（Ｓ９１４）、テレビ電話インターホン２００に対して選択されたモードを指定して「モード切換要求」を送信する（Ｓ９１６）。
「通話」ボタンがＯＮされたら（Ｓ９１８）、テレビ電話インターホン２００に対して音声送信を開始する（Ｓ９２０）、「通話ＯＮ通知」を送信する（Ｓ９２１）。
「通話」ボタンがＯＦＦされたら（Ｓ９２２）、テレビ電話インターホン２００に対する音声送信を停止し（Ｓ９２４）、「通話ＯＦＦ通知」を送信する（Ｓ９２５）。
「メッセージ」ボタンが押されたら（Ｓ９２６）、図１０と同様のメッセージ選択画面を表示し（Ｓ９２８）、メッセージ選択画面において「発声」ボタンが押されたら（Ｓ９３０）、テレビ電話インターホン２００に対して選択されたメッセージを指定して「メッセージ要求」を送信する（Ｓ９３２）。また、「中止」ボタンが押されたら（Ｓ９３４）、Ｓ９１０に戻る。
「録画」ボタンが押されたら（Ｓ９３６）、テレビ電話インターホン２００に「録画要求」を送信する（Ｓ９３８）。
「再生」ボタンが押されたら（Ｓ９４０）、テレビ電話インターホン２００に「再生要求」を送信する（Ｓ９４２）。
「消去」ボタンが押されたら（Ｓ９４４）、テレビ電話インターホン２００に「消去要求」を送信する（Ｓ９４６）。
「停止」ボタンが押されたら（Ｓ９４８）、テレビ電話インターホン２００に「停止要求」を送信する（Ｓ９５０）。
以上の処理をＳ９１０から繰返し、端末が接続を終了したら（Ｓ９５２）、端末側の監視処理を終了する。【００５２】
本実施形態では、テレビ電話インターホンからの一斉呼出に対して、応答する端末はすべてＭＣＵのドアホン会議に接続されるので、端末側にテレビ電話機能を有する限り、ドアホンまたは監視カメラの映像を直接確認でき、ドアホンまたは監視カメラの映像をキャプチャした静止画像を各端末に送信する機能は必ずしも必要でない。
しかしながら、ドアホンまたは監視カメラからの呼出に対して、接続して映像を受信するまでには時間を要し、その間に来訪者や不審者がカメラの視界から外れてしまう可能性があるので、ドアホンまたは監視カメラからの呼出に対して適切に対応するためにも、ドアホンまたは監視カメラから呼出があった際の映像をキャプチャして端末に送信する機能を備えることが好ましい。【００５３】
また、本実施形態においては、ＭＣＵはテレビ電話インターホンの内部に備えるものとして説明したが、テレビ電話インターホンとは独立に備え、テレビ電話インターホンからドアホン会議や個別会議を設定するようにしてもよいことはいうまでもない。
尚、ここで使用するＭＣＵは一般的なものでよいので、ドアホン会議に限らず宅内ＬＡＮに接続された端末や電話回線を介した携帯端末との間でテレビ会議を行う場合にも使用することができる。従って、テレビ電話インターホンにドアホン会議以外のテレビ会議をＭＣＵに設定する機能を備えるようにしてもよい。【００５４】
また、本実施形態においては、ドアホン会議に接続中の端末からの呼出により特定の端末間で個別会議を行う機能を設けたが、例えばドアホン応答画面に「秘匿」ボタンを設け、このボタンが押された場合に、ＭＣＵにおいて合成された音声がテレビ電話コーデックに伝達されることを阻止する機能を備えるようにしてもよい。これにより、ＭＣＵに接続中の応答者は来訪者に内緒で打合せすることができる。尚、この場合には、ドアホン応答画面に秘匿中であることを表示する機能を備えることが好ましい。【００５５】
上記実施形態における通信制御部の処理は、マイクロコンピュタ等を用いたソフトウェア処理により実現することができる。また、テレビ電話インターホン全体をパーソナルコンピュータ等を用いたソフトウェア処理で実現するようにしてもよく、専用ハードウェアで構成してもよい。
また、上記実施形態における端末側の処理は、テレビ電話プロトコルのオプション機能として組み込むようにしてもよく、テレビ電話プロトコルとは独立の専用アプリケーションを備えるようにしてもよい。特に、最近の携帯端末では、ＪＡＶＡ（登録商標）等のアプリケーションを実行する機能を有するので、テレビ電話インターホンを使用時にＪＡＶＡ（登録商標）アプリケーションをダウンロードして実行させるようにしてもよい。【００５６】
上記実施形態では、一斉呼出は電話の呼出機能を用いて行うものとして説明したが、電話の呼出とは別の呼出機能を用いて行うようにしてもよい。例えば、テレビ電話インターホンにＷｅｂサーバ機能を備え、各端末は起動時にテレビ電話インターホンのＷｅｂサーバにログインし、呼出はいわゆるインスタントメッセージ機能を用いて行い、これに応答したときにテレビ電話インターホンとテレビ電話接続されるように構成してもよい。【００５７】
上記実施形態では、ドアホンにはテレビモニタを備えていないが、ドアホンにテレビモニタを備え、映像信号についても双方向通信することで、ドアホン側からも応対者の表情を見えるようにしてもよい。これにより、例えば留守中にごく親しい人が来訪したときに、遠隔地からテレビ電話携帯端末を用いてお互いに相手の表情を見ながら対話することが可能となる。尚、この場合において、ドアホン側に最初から映像を出すことは好ましくない場合があるので、端末側で相手の映像を確認した上で、「通話」ボタンを押して音声送信を開始するときに映像信号の送信を開始するようにしてもよい。【００５８】
ドアホンまたは監視カメラは夜間でも対応できるように照明部を備えるようにしてもよい。また、ドアホンや監視カメラに設けられているテレビカメラは上下左右に方位調整できるようにしてもよく、方位調節をテレビ電話端末または携帯電話等から遠隔操作で行えるようにしてもよい。【００５９】
上記実施形態では、ドアホンまたは監視カメラの映像をキャプチャして端末に送信する機能はドアホンまたは監視カメラからの呼出時にのみ行うものとして説明したが、一定間隔で映像をキャプチャして端末に送信する機能を備えたり、映像に所定の変化があったときにキャプチャして端末に送信する機能を備えるようにしてもよい。これにより、テレビ電話機能を有しない電話端末からでも相手の動静をある程度把握しながら応答することができる。【００６０】
上記実施形態では、応答メッセージを登録する方法についての説明は省略したが、あらかじめ音声データをＲＯＭ等に焼き付けてセットするようにしてもよく、音声データを端末からダウンロードするようにしてもよい。また、例えば、端末側監視処理の中にメッセージ登録ボタンを設け、端末呼出処理においてテレビ電話の音声をテレビ電話コーデックから取得して設定する機能を備えるようにしてもよい。
同様に、呼出先記憶部に呼出先を設定する方法についての説明も省略したが、例えば端末側監視処理の中に呼出先登録ボタンを設け、端末呼出処理において端末側で入力された情報を取得して呼出先記憶部に設定する機能を備えるようにしてもよい。【００６１】
上記の実施形態では、自動応答モードにおいて、ドアホンからの呼出に対して、登録されたメッセージの中からあらかじめ選択された特定のメッセージを使用することで対応している。しかしながら、ドアホンの「呼出」ボタンを使用する人が善意か悪意かを判断することは困難であることから、最初から警告を発するような内容のメッセージを用いるのは適切でない。そこで、例えば、最初は一般的な応答メッセージを出力し、短時間の間に繰返して「呼出」ボタンが押される等の特別な事象を検出した場合に使用する応答メッセージを切替える機能を備えるようにしてもよい。【００６２】
上記実施形態では、端末側からテレビ電話インターホンを呼出すことでドアホンや監視カメラの映像および音声をリアルタイムに監視したり、録画再生したりすることができるが、外部の端末からの呼出に対しては、関係者以外が使用できないように、パスワードの入力を求める等のセキュリティ機能を備えることが好ましい。【００６３】
上記実施形態では、録画再生部による映像および音声の録画は、ドアホン切換部により選択されたチャンネルについて行うようにしているが、ドアホンや監視カメラのそれぞれに対して個別に録画再生部を設けるようにしてもよい。これにより、同時に発生した事象に対しても対応することが可能となる。【００６４】
上記実施形態では、テレビ電話端末４１０は、家庭用テレビにテレビ電話通信機能を有するセットボックスを設置したものを使用するとして説明したが、これは、通常家庭においては、テレビはリビングの中心に設置され、在宅者がテレビを視聴している場合が多いため、ドアホンからの呼出や監視カメラによる監視を家庭用テレビの画面で行えれば便利だからである。このため、受話器４１２は、セットトップボックスと無線通信して音声信号の送受信を行うとともに、家庭用テレビのリモコン機能を備え、テレビ電話インターホンから呼出を受けたときに、テレビの電源や画面の設定を自動変更するテレビの自動設定変更機能を備えるようにしてもよい。例えば、家庭用テレビの電源がＯＦＦであった場合には、電源をＯＮにして映像入力を外部に切替えてテレビ電話映像を全画面表示させ、電源がＯＮであった場合には、テレビの音量を絞るか消音した上で、子画面の映像入力を外部に切替えてテレビ電話映像を子画面表示させるようにすればよい。これにより、在宅者はドアホンや監視カメラからの呼出に対して、見落とすことなく迅速に対応することができる。尚、受話器とセットトップボックスとの通信はBluetooth（登録商標）等の無線を用い、家庭用テレビとの通信は赤外線等を用いることができる。【００６５】
また、テレビ電話インターホン２００に電話回線を接続してコードレス電話の親機としての機能を持たせ、受話器４１２から通常の電話に対して応答する機能を備えるようにしてもよい。この場合に、ナンバーディスプレイやネームディプレイを含めた電話呼出画面をテレビ画面に表示させるようにしてもよい。これにより、例えば、ドアホンからの呼出があればテレビ画面に「ドアホンＸから呼出です」と表示させ、電話からの呼出があればテレビ画面に「○○さんから電話です」と表示させることができ、在宅者はすべての呼出をテレビ画面で確認して、手元に設けた受話器を取ることで対応できるので、家庭内での来客や電話を迅速かつスムースに処理できる。
【産業上の利用可能性】
【００６６】
以上のように、この発明によれば、ドアホンからの呼出に対してネットワークに接続された複数の端末に対して一斉呼出を行い、いずれの端末からでも応答できるテレビ電話インターホンシステムを構成できる。
尚、本願発明は上述した各実施形態に限定されるものではなく、本願発明の効果を奏する限り、各実施形態で述べた構成要素を適宜入れ替えたり、新たな構成要素を追加したり、一部の構成要素を削除したりしてもよいことはいうまでもない。
【図１】
2006018918.tif 000002
【図２】
2006018918.tif 000003
【図３】
2006018918.tif 000004
【図４】
2006018918.tif 000005
【図５】
2006018918.tif 000006
【図６】
2006018918.tif 000007
【図７】
2006018918.tif 000008
【図８】
2006018918.tif 000009
【図９】
2006018918.tif 000010
【図１０】
2006018918.tif 000011
【図１１】
2006018918.tif 000012
【図１２】
2006018918.tif 000013
【図１３】
2006018918.tif 000014
【図１４】
2006018918.tif 000015
【図１５】
2006018918.tif 000016
【図１６】
2006018918.tif 000017
【図１７】
2006018918.tif 000018
【図１８】
2006018918.tif 000019
【図１９】
2006018918.tif 000020
【手続補正書】
【提出日】平成19年1月19日(2007.1.19)
【手続補正１】
【補正対象書類名】明細書
【補正対象項目名】０００３
【補正方法】変更
【補正の内容】
【０００３】
特許文献１：特開２０００−３０７７３９号公報
特許文献２：特開平７−３２７０７２号公報
特許文献３：特開平１１−３１３１６６号公報
【国際調査報告】
2006018918.tif 000021
2006018918.tif 000022
2006018918.tif 000023
2006018918.tif 000024
2006018918.tif 000025
2006018918.tif 000026